【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
シャッターベースのディスプレイ装置であって、
第１の基板と、
前記第１の基板上のマイクロ電気機械システム（ＭＥＭＳ）シャッターベースの光変調器と、前記シャッターベースの光変調器が構造材料の第１の層を含む、
構造材料の前記第１の層の最も高い部分の前記高さを超える、前記第１の基板よりも上の高さを有する前記第１の基板上のスペーサと、ここにおいて、前記スペーサが、前記シャッターベースの光変調器の一部を形成し、前記第１の基板よりも上の前記シャッターベースの光変調器を支持する、前記スペーサが、
少なくとも２つの別個の層のポリマー材と、ポリマー材の前記層が、前記第１の基板に最も近い第１の側面と、前記第１の側面とは反対の第２の側面を有する、
ここにおいて、構造材料の前記第１の層が、直接前記第１の側面に接触し、前記第１の基板からポリマー材の前記層を分離する、
直接前記第２の側面に接触する構造材料の第２の層と、および構造材料の前記第１の層および構造材料の前記第２の層が、ポリマー材の前記層をカバーし、ここにおいて、構造材料の前記第１の層が、構造材料の前記第２の層と同じ材料を含む、
を含む、
を備えるシャッターベースのディスプレイ装置。
【請求項２】
構造材料の前記第２の層が、前記光変調器の上に高設開口層（ＥＡＬ）を形成する、請求項１に記載の装置。
【請求項３】
前記第１の基板に関して前記光変調器の反対側に配置される第２の基板をさらに備え、前記スペーサが、前記第２の基板が前記光変調器に変形するのを防止するのに十分高い、請求項１に記載の装置。
【請求項４】
ディスプレイと、
前記ディスプレイと通信することができるプロセッサと、前記プロセッサが画像データを処理することができる、
前記プロセッサと通信することができるメモリデバイスと
をさらに備える請求項１に記載の装置。
【請求項５】
少なくとも１つの信号を前記ディスプレイに送ることができるドライバ回路をさらに備え、ここにおいて、
前記プロセッサはさらに、前記画像データの少なくとも一部分を前記ドライバ回路に送ることができる、
請求項４に記載の装置。
【請求項６】
前記画像データを前記プロセッサに送ることができる画像ソースモジュールをさらに備え、ここにおいて、前記画像ソースモジュールは、受信機、トランシーバ、および送信機のうちの少なくとも１つを含む、
請求項４に記載の装置。
【請求項７】
入力データを受信することができ、前記入力データを前記プロセッサに通信するための入力デバイスをさらに備える、
請求項４に記載の装置。
【請求項８】
構造材料の前記第１の層および構造材料の前記第２の層が、ポリマー材の前記層と接触し、ポリマー材の前記層をカバーする、請求項１に記載の装置。
【請求項９】
シャッターベースのディスプレイ装置であって、
第１の基板と、
前記第１の基板上の少なくとも第１のシャッターを含むマイクロ電気機械システム（ＭＥＭＳ）シャッターベースの光変調器と、
前記シャッターベースの光変調器の前記第１のシャッターが高設開口層（ＥＡＬ）と前記第１の基板との間に配置されるように、前記シャッターベースの光変調器の前記第１のシャッターの上に浮遊し、前記シャッターベースの光変調器の前記第１のシャッターから離れ、および前記シャッターベースの光変調器の前記第１のシャッターの上に延びる前記第１の基板上の前記ＥＡＬと、
前記第１の基板から、前記高設開口層よりも上の高さに上方に延びるスペーサと、ここにおいて、前記スペーサが、ポリマー材が構造材料の第１の層と構造材料の第２の層によって封入されるように、前記第１の基板に垂直な方向に、構造材料の前記第１の層と構造材料の前記第２の層との間に配置される前記ポリマー材を含み、構造材料の前記第１の層が、前記第１の基板に垂直な方向に、前記第１の基板から前記ポリマー材を分離し、ここにおいて、構造材料の前記第１の層が、構造材料の前記第２の層および前記ＭＥＭＳシャッターベースの光変調器と同じ材料を含む、
ここにおいて、構造材料の前記第１の層から形成される前記スペーサの前記一部が、前記第１の基板の上に前記ＥＡＬを物理的に支持し、前記ＥＡＬが、第１の基板から離れて、前記高設開口層の大部分よりも上であり、しかし、前記スペーサの高さよりも低い高さまで延びるコルゲーションを含む、
ここにおいて、前記スペーサは、前記シャッターベースの光変調器の一部を形成し、前記第１の基板の上で前記シャッターベースの光変調器を支持する、
を備えるシャッターベースのディスプレイ装置。
【請求項１０】
前記ポリマー材が、少なくとも２層のポリマー材を含む、請求項９に記載のディスプレイ装置。
【手続補正２】
【補正対象書類名】明細書
【補正対象項目名】０１７５
【補正方法】変更
【補正の内容】
【０１７５】
[0198]同様に、動作は特定の順序で図面に示されているが、これは、望ましい結果を達成するために、そのような動作が、示される特定の順序でまたは順番に実行されることを、あるいはすべての図示の動作が実行されることを必要とするものとして理解されるべきでない。さらに、図面は、流れ図の形態でもう１つの例示的なプロセスを概略的に図示し得る。ただし、図示されていない他の動作が、概略的に示される例示的なプロセスに組み込まれ得る。たとえば、１つまたは複数の追加の動作が、図示の動作のうちのいずれかの前に、後に、同時に、またはそれらの間に、実行され得る。特定の状況では、マルチタスキングおよび並列処理が有利であり得る。さらに、上記で説明した実装形態における様々なシステム構成要素の分離は、すべての実装形態においてそのような分離を必要とするものとして理解されるべきでなく、説明するプログラム構成要素およびシステムは、概して、単一のソフトウェア製品において互いに一体化されるか、または複数のソフトウェア製品にパッケージングされ得ることを理解されたい。加えて、他の実装形態が以下の特許請求の範囲内に入る。場合によっては、特許請求の範囲に記載の行為は、異なる順序で実施され、依然として望ましい結果を達成することができる。
以下に本願の出願当初の特許請求の範囲に記載された発明を付記する。
［Ｃ１］
装置であって、
第１の基板と、
前記第１の基板上の電気機械システム（ＥＭＳ）光変調器と、前記光変調器が構造材料の第１の層を含む、
前記第１の基板上のスペーサと、前記スペーサが、構造材料の前記第１の層と構造材料の第２の層との間に封入されたポリマー材の少なくとも２つの別々に堆積された層を含み、前記スペーサが、構造材料の前記第１の層の最も高い部分の高さを超える前記基板よりも上の高さを有する、
を備える装置。
［Ｃ２］
構造材料の前記第２の層が、前記光変調器の上に高設開口層（ＥＡＬ）を形成する、Ｃ１に記載の装置。
［Ｃ３］
前記第１の基板に関して前記光変調器の反対側に配置される第２の基板をさらに備え、前記スペーサが、前記第２の基板が前記光変調器に変形するのを防止するのに十分高い、Ｃ１に記載の装置。
［Ｃ４］
前記スペーサが、前記光変調器の一部を形成する、Ｃ１に記載の装置。
［Ｃ５］
前記スペーサが、前記第１の基板の上に前記光変調器を支持する、Ｃ４に記載の装置。
［Ｃ６］
前記光変調器が、マイクロ電気機械システム（ＭＥＭＳ）シャッターベースの光変調器を含む、Ｃ１に記載の装置。
［Ｃ７］
ディスプレイと、
前記ディスプレイと通信することができるプロセッサと、前記プロセッサが画像データを処理することができる、
前記プロセッサと通信することができるメモリデバイスと
をさらに備えるＣ１に記載の装置。
［Ｃ８］
少なくとも１つの信号を前記ディスプレイに送ることができるドライバ回路をさらに備え、ここにおいて、
前記プロセッサはさらに、前記画像データの少なくとも一部分を前記ドライバ回路に送ることができる、
Ｃ７に記載の装置。
［Ｃ９］
前記画像データを前記プロセッサに送ることができる画像ソースモジュールをさらに備え、ここにおいて、前記画像ソースモジュールは、受信機、トランシーバ、および送信機のうちの少なくとも１つを含む、
Ｃ７に記載の装置。
［Ｃ１０］
入力データを受信することができ、前記入力データを前記プロセッサに通信するための入力デバイスをさらに備える、
Ｃ７に記載の装置。
［Ｃ１１］
ディスプレイ装置であって、
第１の基板と、
前記第１の基板上の電気機械システム（ＥＭＳ）光変調器と、
光変調器の上に延びる前記第１の基板上の高設開口層（ＥＡＬ）と、
前記第１の基板から前記高設開口層よりも上の高さに上方に延びるスペーサと、ここにおいて、前記スペーサが、構造材料の下位層と構造材料の上位層との間にポリマー材を封入する、
を備えるディスプレイ装置。
［Ｃ１２］
構造材料の前記上位層も、前記ＥＡＬの一部を形成する、Ｃ１１に記載のディスプレイ装置。
［Ｃ１３］
構造の前記下位層から形成された前記スペーサの前記部分が、前記第１の基板の上に前記ＥＡＬを物理的に支持する、Ｃ１１に記載のディスプレイ装置。
［Ｃ１４］
前記ポリマー材が、少なくとも２層のポリマー材を含む、Ｃ１１に記載のディスプレイ装置。
［Ｃ１５］
前記ＥＡＬが、第１の基板から離れて、前記高設開口層の大部分よりも上であり、しかし、前記スペーサの高さよりも低い高さまで延びるコルゲーションを含む、Ｃ１１に記載のディスプレイ装置。
［Ｃ１６］
ディスプレイ装置であって、
第１の基板と、
前記第１の基板上の光を変調するための手段と、
光を変調するための前記手段の上に支持される高設開口層（ＥＡＬ）と、
第２の基板が前記高設開口層と接触するのを防止するためのスペーシング手段と、ここにおいて、前記スペーシング手段が、前記光変調手段および前記高設開口層と同じ材料から形成される、
を備えるディスプレイ装置。
［Ｃ１７］
前記スペーシング手段が、機械的圧力に対する前記スペーシング手段の弾性を増加させるための手段を封入する、Ｃ１６に記載のディスプレイ装置。
［Ｃ１８］
前記スペーシング手段が、前記基板の上に前記光変調器の一部を支持する、Ｃ１６に記載のディスプレイ装置。
［Ｃ１９］
前記スペーシング手段が、表示要素の上に前記ＥＡＬを支持する、Ｃ１６に記載のディスプレイ装置。